(57)【要約】【課題】浄化剤収容体をスライドさせることで堆積された除去物質を排出口から排出するようにした濾過装置において、原水が導水される原水入口を清潔に保つことのできる濾過装置を得る。【解決手段】原水入口５および浄水出口６を有した容器体１と、容器体１の内部に設けられ、原水を浄化する浄化剤２を収容した透水性の浄化剤収容体３とを備え、前記容器体１の周壁部１ａ内面１ｃの輪郭と前記浄化剤収容体３の輪郭とが同じになるように形成するとともに、当該浄化剤収容体３をスライド可能に支持し、前記容器体１の周壁部１ａ内面１ｃを前記浄化剤収容体３が摺動することで、堆積された除去物質を前記容器体１に設けられた排出口７から排出するようにした濾過装置１０、１０Ａであって、前記排出口７を、前記容器体１の原水入口５および浄水出口６とは別の位置に設けた。【選択図】図１
2011036756.tif 000002
【特許請求の範囲】
【請求項１】
原水入口および浄水出口を有した容器体と、前記容器体の内部に設けられ、原水を浄化する浄化剤を収容した透水性の浄化剤収容体とを備え、
前記容器体の周壁部内面の輪郭と前記浄化剤収容体の輪郭とが同じになるように形成するとともに、当該浄化剤収容体をスライド可能に支持し、前記容器体の周壁部内面を前記浄化剤収容体が摺動することで、堆積された除去物質を前記容器体に設けられた排出口から排出するようにした濾過装置であって、
前記排出口を、前記容器体の原水入口および浄水出口とは別の位置に設けたことを特徴とする濾過装置。
【請求項２】
前記原水入口および浄水出口を兼用して前記容器体の一端部に設けるとともに、前記排出口を前記容器体の他端部に設けたことを特徴とする請求項１に記載の濾過装置。
【請求項３】
前記容器体は、当該容器体の一端部に前記浄水出口が設けられ、他端部に前記排出口が設けられた容器本体と、前記容器本体の排出口に着脱自在に取り付けられるとともに、前記原水入口が形成された蓋体とを備えており、
前記原水入口から導水された原水を、逆流防止弁を介して前記容器本体の内部に導水するとともに、前記浄化剤収容体の前記容器体の一端部側の面に、可撓性を有したシート弁を設け、
前記シート弁は、前記浄化剤収容体を前記容器体の一端部に向けてスライドさせると前記容器本体の周壁部内面を気密状態で摺動し、他端部に向けてスライドさせると前記気密状態が解除されるように撓むことを特徴とする請求項１に記載の濾過装置。
【発明の詳細な説明】
【技術分野】
【０００１】
本発明は、水道水などの原水を濾過して浄水を作り出す濾過装置に関する。
【背景技術】
【０００２】
従来の濾過装置として、原水入口および浄水出口を有した容器体の内部に、浄化剤を収容するとともに、スライド可能に支持された上下一対の仕切板（浄化剤収容体）を設けたものが知られている（例えば、特許文献１参照）。
【０００３】
特許文献１では、原水入口と除去物質を排出する排出口とが兼用されており、シリンダーによって上側仕切板を上下に摺動させるとともに、吐出口から原水入口に向けて逆洗用の水を流すことによって、堆積された除去物質を排出するようにしている。
【先行技術文献】
【特許文献】
【０００４】
【特許文献１】実開平５−６０５０５号公報
【発明の概要】
【発明が解決しようとする課題】
【０００５】
しかしながら、上記従来技術では、原水入口と除去物質の排出口とが兼用されて逆洗浄を行う構成であるため、除去物質を捕捉した洗浄水が原水入口を汚染する可能性がある。
【０００６】
そこで、本発明は、浄化剤収容体をスライドさせることで堆積された除去物質を排出口から排出するようにした濾過装置において、原水が導水される原水入口を清潔に保つことのできる濾過装置を得ることを目的とする。
【課題を解決するための手段】
【０００７】
請求項１の発明にあっては、原水入口および浄水出口を有した容器体と、前記容器体の内部に設けられ、原水を浄化する浄化剤を収容した透水性の浄化剤収容体とを備え、前記容器体の周壁部内面の輪郭と前記浄化剤収容体の輪郭とが同じになるように形成するとともに、当該浄化剤収容体をスライド可能に支持し、前記容器体の周壁部内面を前記浄化剤収容体が摺動することで、堆積された除去物質を前記容器体に設けられた排出口から排出するようにした濾過装置であって、前記排出口を、前記容器体の原水入口および浄水出口とは別の位置に設けたことを特徴とする。
【０００８】
請求項２の発明にあっては、前記原水入口および浄水出口を兼用して前記容器体の一端部に設けるとともに、前記排出口を前記容器体の他端部に設けたことを特徴とする。
【０００９】
請求項３の発明にあっては、前記容器体は、当該容器体の一端部に前記浄水出口が設けられ、他端部に前記排出口が設けられた容器本体と、前記容器本体の排出口に着脱自在に取り付けられるとともに、前記原水入口が形成された蓋体とを備えており、前記原水入口から導水された原水を、逆流防止弁を介して前記容器本体の内部に導水するとともに、前記浄化剤収容体の前記容器体の一端部側の面に、可撓性を有したシート弁を設け、前記シート弁は、前記浄化剤収容体を前記容器体の一端部に向けてスライドさせると前記容器本体の周壁部内面を気密状態で摺動し、他端部に向けてスライドさせると前記気密状態が解除されるように撓むことを特徴とする。
【発明の効果】
【００１０】
請求項１の発明によれば、除去物質を排出する排出口を容器体の原水入口および浄水出口とは別の位置に設けたため、原水入口を清潔に保つことが可能となる。
【００１１】
請求項２の発明によれば、原水入口および浄水出口を兼用して容器体の一端部に設けるとともに、排出口を容器体の他端部に設けたため、浄化剤収容体を摺動させて容器体の他端部側に押し込むことで浄水を生成することができるようになり、濾過装置を比較的簡素な構成とすることができる。
【００１２】
請求項３の発明によれば、浄化剤収容体の容器体の一端部側の面に可撓性を有したシート弁を設け、前記シート弁は、浄化剤収容体を容器体の一端部に向けてスライドさせると容器本体の周壁部内面を気密状態で摺動し、他端部に向けてスライドさせると前記気密状態が解除されるように撓むため、浄化剤収容体ならびにシート弁を往復動させることにより、連続的に浄水を生成することが可能となる。
【図面の簡単な説明】
【００１３】
【図１】本発明の第１実施形態にかかる濾過装置の断面図である。
【図２】浄化剤収容体を取り外して原水を注水した状況を示した図である。
【図３】浄化剤収容体を再度取り付けた状況を示した図である。
【図４】浄化剤収容体に接続されたロッドを押し込んで、浄化剤収容体を容器体の他端部に向けて摺動させた状況を示した図である。
【図５】浄化剤収容体を容器体の底壁部まで押し込んだ状況を示した図である。
【図６】容器体を傾倒させて浄水を取り出した状況を示した図である。
【図７】本発明の第２実施形態にかかる濾過装置の断面図である。
【図８】浄化剤収容体に接続されたロッドを引き上げることで、原水を容器体内に吸い込んだ状況を示した図である。
【図９】浄化剤収容体ならびにシート弁を本体容器の天壁部に近い位置まで引き上げた状況を示した図である。
【図１０】浄化剤収容体に接続されたロッドを押し込んで、浄化剤収容体ならびにシート弁を容器体の他端部に向けて摺動させた状況を示した図である。
【図１１】浄化剤収容体ならびにシート弁を蓋体の底壁部まで押し込んだ状況を示した図である。
【図１２】浄化剤収容体ならびにシート弁を再度引き上げることによって、浄化剤収容体を通過した浄水を浄水出口から吐出させる状況を示した図である。
【図１３】浄化剤収容体ならびにシート弁を引き上げて、原水を再度満水にした状況を示した図である。
【図１４】浄化剤収容体ならびにシート弁を再度容器体の他端部に向けて押し込んだ状況を示した図である。
【図１５】容器体の蓋体を取り外すことで、除去物質を排出する状況を示した図である。
【図１６】図１５に示す容器体の蓋体の変形例を示した図である。
【発明を実施するための形態】
【００１４】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００１５】
［第１実施形態］
図１〜図６は、本発明の第１実施形態にかかる濾過装置１０を示した図である。まずは、図１を参照して、本実施形態にかかる濾過装置１０の概略構成について説明する。
【００１６】
本実施形態の濾過装置１０は、原水入口５、浄水出口６、排出口７を有した有底筒状の容器体１と、この容器体１の内部に設けられ、原水を浄化する浄化剤２を収容した透水性の浄化剤収容体３とを備えている。そして、本実施形態では、開放された容器体１の一端部１Ｄを前記原水入口５および浄水出口６として兼用させるとともに、他端部１Ｅに堆積された除去物質を排出する排出口７を設けている。
【００１７】
浄化剤収容体３は、浄化剤２を挟み込む上下一対の仕切板３ａ、３ｂを備えており、それぞれの仕切板３ａ、３ｂには水を通過させる複数の孔が設けられている。浄化剤２は、活性炭やセラミックあるいはイオン交換樹脂などで形成され、原水に含まれるカルキなどの有害成分を吸着除去して水を浄化する。なお、浄化剤２は、図示省略したメッシュで覆われており、そのメッシュ内に充填された粒状浄化剤２が、図示せぬ接続部を介して接続された上下一対の仕切板３ａ、３ｂの間に収容されている。
【００１８】
そして、浄化剤収容体３は、容器体周壁部１ａの内面１ｃの輪郭と同じとなるように、即ち内面１ｃにぴったりと嵌合されるようにその輪郭が形成されており、上側の仕切板３ａに接続されたロッド４によって、浄化剤収容体３が容器体１の内面１ｃを摺動可能となっている。
【００１９】
排出口７は、容器体１の周壁部１ａから底壁部１ｂを介して接続された縮径部１ｄに設けられており、バルブ８の開閉によって、堆積された除去物質を排出することができるようになっている。
【００２０】
かかる構成の本実施形態の濾過装置１０では、まずは図２に示すように、ロッド４が接続された浄化剤収容体３を容器体１から取り外して、原水を容器体１の内部に注水する。
【００２１】
次に、図３に示すように、ロッド４が接続された浄化剤収容体３を容器体１に再度取り付ける。この際、容器体１の内面１ｃと浄化剤収容体３の外周縁部３ｃが摺接する。
【００２２】
そして、図４に示すように、ロッド４で浄化剤収容体３を容器体１の他端部１Ｅに向けて摺動させるとともに、図５に示すように、浄化剤収容体３を容器体１の底壁部１ｂまで押し込む。
【００２３】
容器体１に注がれた原水は、浄化剤収容体３を通過することで浄化されて浄水となり、最後に、図６に示すように、容器体１を傾倒させることで、浄水を容器１２に取り出すことができる。
【００２４】
また、浄化剤収容体３が押し込まれることで捕捉した除去物質は、容器体１の底壁部１ｂあるいは縮径部１ｄに堆積され、バルブ８を開くことによって、堆積された除去物質を排出することができる。この際、上側仕切板３ａ側から洗浄用の水を流すようにしてもよい。
【００２５】
以上、説明してきたように、本実施形態では、容器体１の周壁部１ａ内面１ｃの輪郭と浄化剤収容体３の輪郭とが同じになるように形成され、容器体１の周壁部１ａ内面１ｃを浄化剤収容体３が摺動することで、堆積された除去物質を容器体１に設けられた排出口７から排出するようにした濾過装置１０において、排出口７を容器体１の原水入口５および浄水出口６とは別の位置に設けたため、原水入口５を清潔に保つことが可能となる。
【００２６】
また、本実施形態では、原水入口５および浄水出口６を兼用して容器体１の一端部１Ｄに設けるとともに、排出口６を容器体１の他端部１Ｅに設けたため、浄化剤収容体３を摺動させて容器体１の他端部１Ｅに押し込むことで浄水を生成することができるようになり、濾過装置１０を比較的簡素な構成とすることができる。
【００２７】
特に、本実施形態では、浄化剤収容体３を容器体１の一端部１Ｄ（上側）から他端部１Ｅ（下側）に向けて押し込む構成としたため、除去物質は浄化剤収容体３の下側に位置することとなり、除去物質が浄化剤２あるいは浄化剤収容体３に重力によって堆積するのを抑制することができる。したがって、除去物質の位置する反対側、即ち本実施形態では、浄化剤収容体３の上側から洗浄水を流す逆洗浄を行うこと自体も抑制することができるという利点もある。
【００２８】
なお、本実施形態では、容器体１の他端部１Ｅに縮径部１ｄを設けることで排出口７を形成したが、容器体１の他端部１Ｅを一端部１Ｄに設けられた吸入口５と同じく開放することで排出口を形成し、当該排出口に取り外し可能な蓋体を取り付けることで、蓋体に堆積する除去物質を排出するようにしてもよい。
【００２９】
また、容器体１の底壁部１ｂを排出口７に向けて円錐状に形成してもよく、かかる構成では、浄化剤収容体３を押し込んで捕捉した除去物質を排出口７に誘導することができる。
【００３０】
［第２実施形態］
次に、本発明の第２実施形態について図面を参照して説明する。図７〜図１５は、本実施形態にかかる濾過装置を示した図である。
【００３１】
本実施形態にかかる濾過装置１０Ａは、上記第１実施形態にかかる濾過装置１０Ａに対して、原水入口１５、浄水出口１６、排出口１７のそれぞれの位置が異なっている。
【００３２】
具体的には、本実施形態では、容器体１は当該容器体１の一端部１Ｄに浄水出口１６が設けられ、他端部１Ｅに排出口１７が設けられた容器本体２１と、この容器本体２１の排出口１７に着脱自在に取り付けられ、原水入口１５が形成された蓋体２２とを備えている。
【００３３】
図７に示すように、容器本体２１は、開放された他端部１Ｅ側を排出口１７とした有底筒状に形成されている。閉鎖された一端部１Ｄ側には、容器本体２１の周壁部２１ａから径外側に張り出した延設通路２３が設けられており、この延設通路２３に浄化剤収容体３を通過した水を吐出する浄水出口１６が設けられている。
【００３４】
蓋体２２は、ほぼ平坦に形成された底壁部２２ａの周縁から立設する環状壁２２ｂを備えており、その環状壁２２ｂが排出口１７の外周に水密状態で嵌合される。この際、排出口１７の外周に螺旋状の突起を設けるとともに、環状壁２２ｂの内面に螺旋状の凹部を設け、環状壁２２ｂを回転して互いを締め付け固定するようにすると、より確実に互いの嵌合状態を得ることができる。
【００３５】
また、蓋体２２の中央部には、環状壁２２ｂと反対方向に立設された突出部２２ｃが設けられており、この突出部２２ｃの先端部に原水入口１５が形成されている。そして、この原水入口１５から導水される原水は、逆流防止弁１８を介して容器本体２１の内部に導水される。
【００３６】
ここで、本実施形態の濾過装置１０Ａでは、浄化剤収容体３の容器体１の一端部１Ｄ側の面、即ち上側仕切板３ａの天面３ｄに、可撓性を有した薄板状のシート弁１５が設けられている。
【００３７】
シート弁１５は、平面視で上側仕切板３ａの天面３ｄを気密状態で覆うことができるようにその輪郭が形成されており、浄化剤収容体３が容器体１の一端部１Ｄ側に引き込まれた際には、外周縁部１５ａが摺動して気密状態を保ちつつ、他端部１Ｅ側に押し込まれた際には、その気密状態が解除されるようになっている。
【００３８】
なお、本実施形態では、ロッド４の先端部４ａと上側仕切板３ａとがシート弁１５に設けられた開口（図示せぬ）を介して接続されており、その開口を塞ぐようにしてロッド４の先端部４ａがシート弁１５に接合されている。なお、これらロッド４の先端部４ａ、シート弁１５、上側仕切板３ａは、それぞれが独立して接着してなくてもよい。
【００３９】
かかる構成の本実施形態の濾過装置１０Ａでは、まずは図８に示すように、ロッド４を引き上げて浄化剤収容体３ならびにシート弁１５を容器体１の一端部１Ｄ側に向けて摺動させることにより、浄化剤収容体３より容器体１の他端部１Ｅ側の空間部２５が減圧されて、逆流防止弁１８が開き原水が当該空間部２５に引き込まれる。
【００４０】
そして、図９に示すように、浄化剤収容体３ならびにシート弁１５を本体容器２１の天壁部２１ｂに近い位置まで引き上げ、空間部２５に原水を貯める。
【００４１】
次に、図１０に示すように、ロッド４を押し込み浄化剤収容体３ならびにシート弁１５を容器体１の他端部１Ｅ側に向けて摺動させるとともに、図１１に示すように、浄化剤収容体３を蓋体２２の底壁部２２ａまで押し込む。ロッド４を押し込んだ際には、空間部２５が加圧されて逆流防止弁１８が閉じるようになり、容器体１に閉じこまれた原水が浄化剤収容体３を通過してシート弁１５に突き当たることにより、シート弁１５がＵ字状に折れ曲がるようにして外周縁部１５ａが撓み、シート弁１５と周壁部２１ａの内面２１ｃとの間に形成された隙間を通過した浄水が浄化剤収容体３より容器体１の一端部１Ｄ側の空間部２６に溜まる。
【００４２】
そして、図１２に示すように、ロッド４を再度引き上げて浄化剤収容体３ならびにシート弁１５を容器体１の一端部１Ｄ側に向けて摺動させることにより、逆流防止弁１８が開いて原水が空間部２５に再度引き込まれるとともに、空間部２６に貯留された浄水がシート弁１５に押されることで、浄水出口１６から吐出される。
【００４３】
次に、図１３に示すように、空間部２６に貯留された浄水をある程度吐出したら、図１４に示すように、再度ロッド４を押し込む。このような作業を繰り返すことで、浄化剤収容体３を通過した浄水を浄水出口１６から取り出すことが可能となり、原水に含まれていた除去物質は蓋体２２の底壁部２２ａに堆積される。
【００４４】
最後に、図１５に示すように、嵌合されていた蓋体２２を容器本体２１から取り外すことで、蓋体２２の底壁部２２ａに堆積された除去物質を排出することができる。
【００４５】
以上、説明してきたように、本実施形態では、容器体１は、当該容器体１の一端部１Ｄに浄水出口２３が設けられ、他端部１Ｅに排出口１７が設けられた容器本体２１と、前記容器本体２１の排出口１７に着脱自在に取り付けられるとともに、原水入口１５が形成された蓋体２１とを備えており、前記原水入口１５から導水された原水を、逆流防止弁１８を介して容器本体２１の内部に導水するとともに、浄化剤収容体３の容器体１の一端部１Ｄ側の面３ｄに、可撓性を有したシート弁１５を設けている。そして、このシート弁１５は、浄化剤収容体３を容器体１の一端部１Ｄに向けてスライドさせると容器本体２１の周壁部２１ａ内面２１ｃを気密状態で摺動し、他端部１Ｅに向けてスライドさせると前記気密状態が解除されるように撓むため、浄化剤収容体３ならびにシート弁１５を往復動させることにより、連続的に浄水を生成することが可能となる。
【００４６】
以上、本発明の好適な実施形態について説明したが、本発明は上記実施形態には限定されず、種々の変形が可能である。例えば、上記第２実施形態では、本体容器２１の他端部１Ｅを排出口１７としたが、図１６に示すように、蓋体２２Ａの突出部２２ｃに分岐通路２３を設け、当該分岐通路２３にバルブ１９を介在させて排出口２７を設けるようにしてもよい。
【符号の説明】
【００４７】
１  容器体
２  浄化剤
３  浄化剤収容体
５、１５  原水入口
６、１６  浄水出口
７、１７  排出口
１０、１０Ａ  濾過装置
【図１】
2011036756.tif 000003
【図２】
2011036756.tif 000004
【図３】
2011036756.tif 000005
【図４】
2011036756.tif 000006
【図５】
2011036756.tif 000007
【図６】
2011036756.tif 000008
【図７】
2011036756.tif 000009
【図８】
2011036756.tif 000010
【図９】
2011036756.tif 000011
【図１０】
2011036756.tif 000012
【図１１】
2011036756.tif 000013
【図１２】
2011036756.tif 000014
【図１３】
2011036756.tif 000015
【図１４】
2011036756.tif 000016
【図１５】
2011036756.tif 000017
【図１６】
2011036756.tif 000018